(57)【要約】【課題】ガラス板梱包用パレットの基台部の変形によって、ガラス板が破損するという事態を可及的に低減する。【解決手段】複数枚のガラス板３が縦姿勢で積層される基台部４と、基台部４に積層されるガラス板３の背面を支持する背面部５とを備えたガラス板梱包用パレット２であって、基台部４に積層されるガラス板３の下辺部を支持する一体化された受け部材７を、基台部４の上面に縁切り状態で載置すると共に、受け部材７を基台部４の変形に追随しないように構成した。【選択図】図１
2008143540.tif 000002
【特許請求の範囲】
【請求項１】
複数枚のガラス板が縦姿勢で積層される基台部と、該基台部に積層されるガラス板の背面を支持する背面部とを備えたガラス板梱包用パレットにおいて、
前記基台部に積層されるガラス板の下辺部を支持する一体化された受け部材を、前記基台部の上面に縁切り状態で載置すると共に、該受け部材を前記基台部の変形に追随しないように構成したことを特徴とするガラス板梱包用パレット。
【請求項２】
前記受け部材は、緩衝部材を介して前記基台部の上面に載置されていることを特徴とする請求項１に記載のガラス板梱包用パレット。
【請求項３】
前記受け部材は、規制手段によって前記基台部に対する可動範囲が規制されていることを特徴とする請求項１又は２に記載のガラス板梱包用パレット。
【請求項４】
前記規制手段は、前記基台部に対する前記受け部材の可動範囲を調整可能に構成されていることを特徴とする請求項３に記載のガラス板梱包用パレット。
【請求項５】
請求項１〜４のいずれかに記載のガラス板梱包用パレットに、複数枚のガラス板を、各ガラス板の間に保護シートを介在させて縦姿勢で積層して梱包したことを特徴とするガラス板梱包体。
【請求項６】
前記梱包されたガラス板は、厚みが０．７ｍｍ以下であって且つ一辺の寸法が１０００ｍｍ以上であることを特徴とする請求項５に記載のガラス板梱包体。
【発明の詳細な説明】
【技術分野】
【０００１】
本発明は、ガラス板を輸送或いは保管する際に、ガラス板を梱包するための梱包技術の改良に関する。
【背景技術】
【０００２】
周知のように、液晶ディスプレイ、プラズマディスプレイ、エレクトロルミネッセンスディスプレイ、フィールドエミッションディスプレイなどのフラットパネルディスプレイ（以下、単にＦＰＤという）用のガラス基板を初めとする各種ガラス板を輸送或いは保管する場合には、ガラス板梱包用パレット（以下、単にパレットともいう）上に、複数枚のガラス板を、各ガラス板の間に合紙等の保護シートを介在させて縦姿勢（略鉛直姿勢）で積層した状態で梱包するのが通例とされている。
【０００３】
この種のパレットの具体例としては、例えば下記の特許文献１には、縦姿勢で積層された複数枚のガラス板の下辺部を支持する載置部（基台部）と、この載置部によって下辺部が支持された状態で積層されたガラス板の背面を支持する傾斜部（背面部）とを備えた略Ｌ字形状のパレットが開示されている。
【０００４】
また、下記の特許文献２には、縦姿勢で積層される複数枚のガラス板を梱包するためのパレットを以下の構成とすることが提案されている。すなわち、台座（基台部）の上面に立設された底片の上に幅方向に間隔を空けて２枚の底受け板を載置すると共に、台座の上面における底片よりも後方に立設された縦片に背受け板を立て掛け（背面部）、縦姿勢で積層されるガラス板の下辺部と背面を、それぞれ底受け板と背受け板とで支持するようにパレットを構成することが開示されている。さらに、下記の特許文献３には、前記２枚の底受け板を１枚の底受け板で構成し、この１枚の底受け板でガラス板の下辺部を支持するようにパレットを構成することが開示されている。
【特許文献１】特開２００６−１２３９５３号公報
【特許文献２】特開２００５−２９８０６２号公報
【特許文献３】特開２００５−１３２４９０号公報
【発明の開示】
【発明が解決しようとする課題】
【０００５】
ところで、この種のパレット上に、複数枚のガラス板を、各ガラス板の間に合紙等の保護シートを介在させて縦姿勢で積層した状態で梱包して製造されるガラス板梱包体（以下、単に梱包体ともいう）は、一旦床に載置され、その後輸送に際してトラックの荷台等に載置されるのが通例である。しかしながら、かかる床やトラックの荷台等の表面には通常は凹凸があり、その表面の凹凸に合わせて、パレットの底部、すなわち基台部が変形を来たすという事態が生じ得る。また、このようなパレットの基台部の変形は、フォークリフトによってパレットの基台部を支持した状態で梱包体を持ち上げてトラックの荷台等に積み込む際にも同様に生じ得る。特に、この場合には基台部とフォークリフトとの接触部に梱包体の全荷重が掛かることになることから、基台部の変形はより顕著なものとなって現れる。そして、このようなパレットの基台部の変形は、近年のＦＰＤ用のガラス基板に代表されるように、各種ガラス板が大型化されたことに伴う梱包体の総重量の増加に起因するところが大きい。
【０００６】
したがって、パレットの機能上、このように基台部に変形が生じた場合であってもガラス板に破損が生じないようにすることが重要となるが、このような観点から何ら対策が講じられていないのが実情である。すなわち、上記の特許文献１に開示されているパレットでは、ガラス板を梱包した際に、ガラス板の下辺部が基台部によって直接支持されていることから、上記のように基台部に変形が生じた場合には、直線的なガラス板の下辺部を、変形して湾曲等を来たした基台部で直接支持することになるので、ガラス板の下辺部の支持状態が不当に悪化することになる。そのため、ガラス板の下辺部に不当な応力が生じ、ガラス板が破損するという事態が生じ得る。
【０００７】
また、上記の特許文献２に開示されているように、基台部の上面に立設された底片の上に幅方向に間隔を空けて２枚の底受け板を載置して、この２枚の底受け板でガラス板の下辺部を支持したとしても、基台部が変形した場合には、その変形に追随して２枚の底受け板が相互に異なる変位や変形を来たすおそれがある。そのため、ガラス板の下辺部と２枚の底受け板との接触状態が不当に悪化することなり、ガラス板の下辺部に不当な応力が生じ、ガラス板が破損するという事態が生じ得る。また、上記の特許文献３に開示されているように、底受け板を１枚で構成した場合であっても、底受け板や、底受け板を下方から支持する底片の剛性等が、ガラス板の全重量との関係で適切でなければ、基台部の変形に追随して底受け板が変形を来たすおそれがあり、ガラス板が破損するという事態が同様に生じ得る。
【０００８】
本発明は、上記実情に鑑み、ガラス板梱包用パレットの基台部の変形によって、ガラス板が破損するという事態を可及的に低減することを技術的課題とする。
【課題を解決するための手段】
【０００９】
上記課題を解決するために創案された本発明に係るガラス板梱包用パレットは、複数枚のガラス板が縦姿勢で積層される基台部と、該基台部に積層されるガラス板の背面側を支持する背面部とを備えたガラス板梱包用パレットにおいて、前記基台部に積層されるガラス板の下辺部を支持する一体化された受け部材を、前記基台部の上面に縁切り状態で載置すると共に、該受け部材を前記基台部の変形に追随しないように構成したことに特徴づけられる。なお、ここでいう「一体化された受け部材」には、完全に単一部材から構成されたもののみならず、実質的に単一とみなことができるように複数部材が固定されて一体化されたものも含まれる。また、「縁切り状態」とは、基台部と受け部材とが、それぞれ独立して移動できる状態にあることを意味する。さらに、「受け部材を基台部の変形に追随しないように構成」には、受け部材の一部が基台部の変形に追随して変形しても、受け部材のうちガラス板の下辺部と接触する面が基台部の変形に追随しないように構成されているものも含まれる。
【００１０】
このような構成によれば、ガラス板の下辺部を支持する一体化された受け部材が、基台部に縁切り状態で載置され、且つその受け部材が基台部の変形に追随しないように構成されていることから、保管や輸送に際して基台部に変形が生じたとしても、受け部材によるガラス板の下辺部の支持状態は、基台部の変形の影響を受けることなく、良好に維持される。すなわち、このガラス板梱包用パレットは、受け部材の材質、受け部材と基台部との位置関係、受け部材の剛性などが、ガラス板の全重量との関係において、適切に設定されているから、受け部材が基台部の変形に追随しないようになっており、これにより上述の利点を享受することができる。したがって、仮に基台部に変形が生じた場合であっても、ガラス板の下辺部に不当な応力が生じることなく、ガラス板が破損を来たすという事態を可及的に低減することが可能となる。
【００１１】
上記の構成において、前記受け部材は、緩衝部材を介して前記基台部の上面に載置されていることが好ましい。
【００１２】
このようにすれば、受け部材は、緩衝部材で支持されることになるので、基台部が変形した場合であっても、緩衝部材で基台部の変形が吸収され、受け部材の姿勢の乱れを低減することができる。したがって、仮に基台部に変形が生じた場合であっても、受け部材によって支持されたガラス板の姿勢をより安定した状態で支持することが可能となる。
【００１３】
上記の構成において、前記受け部材は、規制手段によって前記基台部に対する可動範囲が規制されていることが好ましい。
【００１４】
このようにすれば、輸送時に基台部に強い衝撃や継続的な力が作用するような場合であっても、受け部材が規制手段によって基台部に対する可動範囲が規制されるため、受け部材が位置ずれを来たすという事態を防止することが可能となる。したがって、パレットにガラス板を梱包して輸送する場合であっても、受け部材によるガラス板の下辺部の支持状態を安定した状態で維持することが可能となる。
【００１５】
この場合、前記規制手段は、前記基台部に対する前記受け部材の可動範囲を調整可能に構成されていることが好ましい。
【００１６】
このようにすれば、パレットの使用環境に応じて、適宜受け部材の可動範囲を調整することが可能となるので、受け部材によるガラス板の下辺部の支持状態をより安定した状態で維持することが可能となる。
【００１７】
上記課題を解決するために創案された本発明に係るガラス板梱包体は、以上の構成を適宜備えたガラス板梱包用パレットに、複数枚のガラス板を、各ガラス板の間に保護シートを介在させて縦姿勢で積層して梱包したことに特徴づけられる。
【００１８】
このような構成によれば、上記段落［００１０］，［００１２］，［００１４］，［００１６］に記載した事項と同様の作用効果を享受することができる。
【００１９】
上記の構成において、前記梱包されたガラス板は、厚みが０．７ｍｍ以下であって且つ一辺の寸法が１０００ｍｍ以上であってもよい。
【００２０】
すなわち、ＦＰＤ用のガラス基板のように、大型且つ薄肉のガラス板にあっては、わずかな応力で破損を来たすおそれがあるので、本発明に係る梱包体がより一層有用となる。
【発明の効果】
【００２１】
以上のように本発明によれば、一体化され且つ基台部の変形に追随しないように構成された受け部材が基台部の上面に縁切り状態で載置され、この受け部材によってガラス板の下辺部が支持されることになるので、基台部に変形が生じた場合であっても、その変形の影響を受けることなく、受け部材とガラス板の下辺部との接触状態を安定した状態で維持することが可能となる。したがって、基台部の変形に伴ってガラス板の下辺部に不当な応力が生じるという事態が防止され、結果としてガラス板が破損を来たすという事態を可及的に低減することが可能となる。
【発明を実施するための最良の形態】
【００２２】
以下、本発明の実施形態を添付図面を参照して説明する。
【００２３】
図１は、本発明の第１の実施形態に係るガラス板梱包体を模式的に示す側面図である。同図に示すように、この梱包体１は、側面視で略Ｌ字形状を呈するガラス板梱包用パレット２に、複数枚のガラス板３を縦姿勢で積層した状態で梱包して構成される。なお、この実施形態では、ガラス板３は、液晶ディスプレイ用のガラス基板である。また、複数枚のガラス板３の相互間には、図示しないが保護シートとしての発泡樹脂シートが介在されており、その発泡樹脂シートの大きさはガラス板３の板面より大きくなっている。
【００２４】
上記のパレット２は、複数枚のガラス板３が縦姿勢で積層される基台部４と、基台部４に積層されるガラス板３の背面を支持する背面部５とを備えている。基台部４は、上面が略水平面となるように構成されている。背面部５は、背もたれ部５ａと、背もたれ支持部５ｂとを、基台部４の上面の後方部に間隔を空けて立設した状態で備え、背もたれ部５ａは、補強部材５ｃを介して後方から背もたれ支持部５ｂによって支持されている。なお、背もたれ部５ａは、基台部４の上面に対して直角に立設されている。また、背もたれ支持部５ｂと背もたれ部５ａとの間隔は、パレット２にガラス板３を縦姿勢で積層して梱包した状態で、梱包体１の重心が基台部４の略中心に位置するように設定されている。
【００２５】
さらに、背もたれ部５ａの前方に位置する基台部４の上面には、緩衝部材６を介して、受け部材７が縁切り状態で載置されている。具体的には、この実施形態では、基台部４、緩衝部材６、および受け部材７は、相互に固定されることなく、単に物理的に接触した状態とされている。緩衝部材６は、ゴムシートや発泡樹脂シートで形成され、その厚みは、１０ｍｍ〜１００ｍｍに設定され、且つその大きさは受け部材７と実質的に同一とされる。また、受け部材７は、一体化された単一の部材から構成され（図２参照）、且つ基台部４に変形が生じた場合に、基台部４の変形に追随しない程度の剛性を有する金属（好ましくはステンレス）により形成されている。
【００２６】
そして、図１に示すように梱包体１の状態では、積層されたガラス板３の下辺部が、受け部材７によって支持され、積層されたガラス板３の背面が、背もたれ部５ａによって支持される。したがって、例えばパレット２の基台部４に形成された開口部４ａにフォークリフトの爪を挿入して梱包体１を持ち上げる等して基台部４に変形が生じた場合であっても、受け部材７が、基台部４に縁切り状態で載置され且つ基台部４の変形に追随しないように構成されていることから、受け部材７によるガラス板３の下辺部の支持状態は、基台部４の変形の影響を受けることなく、良好に維持されることになる。その結果、ガラス板３の下辺部に不当な応力が生じることなく、ガラス板３が破損を来たすという事態を可及的に低減することが可能となる。
【００２７】
さらに、受け部材７は、緩衝部材６を介して基台部４の上面に載置されているので、基台部４に変形が生じた場合であっても、緩衝部材６が基台部４の変形を吸収し、受け部材７に姿勢の乱れが生じるという事態を防止することができる。したがって、受け部材７によってより安定した状態でガラス板３を支持することが可能となる。
【００２８】
なお、受け部材７とガラス板３とが実際に接触する部分には、厚紙やゴムシートや発泡樹脂シート等の保護シートが介在されている。具体的には、図２（ａ）に示すように、受け部材７の上面の略全面に一枚の保護シート８を貼着してもよく、或いは図２（ｂ）に示すように、受け部材７の上面に間隔を空けて並列に配列した状態で複数枚の保護シート８を貼着してもよい。また、背もたれ部５ａとガラス板３とが実際に接触する部分についても、同様に発泡樹脂シート等の保護シートが介在されている。
【００２９】
図３は、本発明の第２の実施形態に係るガラス板梱包体を模式的に示す側面図である。同図に示すように、この第２の実施形態に係る梱包体１１が、第１の実施形態に係る梱包体１と相違するのは、縦姿勢のガラス板３が垂直面に対して僅かに傾斜した状態で、積層されて梱包されている点にある。以下ではこの相違点についてのみ説明し、その他の共通の構成については図中に同一符号を付して詳しい説明を省略する。
【００３０】
図３に示すように、この梱包体１１に利用されるパレット１２の背面部１５は、上方が下方よりも後方に傾斜した背もたれ部１５ａを、後方から補強部材１５ｃを介して背もたれ支持部１５ｂによって支持することによって構成されている。受け部材１７は、断面三角形状を呈し、その上面が前方から後方に向かって下方に傾斜する傾斜面を呈している。そして、この受け部材１７の上面と背もたれ部１５ａの前面とのなす角が略９０度になるように設定されている。このようにすれば、受け部材１７は断面三角形状を呈しているので、断面が矩形状を呈するものに比べて曲げ剛性を高めることができ、したがって、第１の実施形態で説明した作用効果をより確実に得ることが可能となる。また、背もたれ部１５ａが傾斜しているので、この背もたれ部１５ａに立て掛けるようにガラス板３を積層すれば、既に積層が完了したガラス板３が前方に傾倒するという事態を防止することができるので、ガラス板３の積層作業を円滑且つ容易に進行することが可能となる。なお、第１の実施形態に係る梱包体１にあっては、パレット２を所定の傾斜台に載置し、この状態でガラス板３を積層するようにすれば、同様にガラス板３の積層作業を円滑且つ容易に進行することが可能となる。
【００３１】
図４は、本発明の第３の実施形態に係るガラス板梱包体を模式的に示す側面図であって、図５は、その正面図である。図４，５に示すように、この第３の実施形態に係る梱包体２１は、第１の実施形態に係る梱包体１に、受け部材７の基台部４に対する可動範囲を規制する規制手段２８を更に設けたものである。以下では、この規制手段２８についてのみ説明し、その他の共通の構成については図中に同一符号を付して詳しい説明を省略する。
【００３２】
図４，５に示すように、この梱包体２１のパレット２２に設けられた規制手段２８は、受け部材７が前後、上下、左右に位置ずれを来たさないように、受け部材７に所定の隙間を介して対面しており、この隙間でもって受け部材７の可動範囲を規制している。詳述すると、この実施形態では、規制手段２８は、受け部材７に対して、前後、上下又は左右に進退移動する隙間調整ピン２８ａ１，２８ａ２，２８ａ３と、各隙間調整ピン２８ａ１，２８ａ２，２８ａ３をその進退方向における任意位置で固定可能な固定部材２８ｂ１，２８ｂ２，２８ｂ３とを備えている。そして、受け部材７の前方に配置された隙間調整ピン２８ａ１を、対応する固定部材２８ｂ１で固定することで、受け部材７の前後方向の可動範囲が、この隙間調整ピン２８ａ１と背もたれ部５ａとの間で規制される。また、受け部材７の左右両端の上方に配置された隙間調整ピン２８ａ２を、対応する固定部材２８ｂ２で固定することで、受け部材７の上下方向の可動範囲が、この隙間調整ピン２８ａ２と基台部４との間で規制される。さらに、受け部材７の左右両側方に配置された隙間調整ピン２８ａ３を、対応する固定部材２８ｂ３で固定することで、受け部材７の左右方向の可動範囲が、左右両側方に配置された隙間調整ピン２８ｂ３の相互間で規制される。したがって、輸送時に基台部４に強い衝撃や継続的な力が作用するような場合であっても、受け部材７が規制手段２８によって基台部４に対する可動範囲が規制されるため、受け部材７が位置ずれを来たすという事態を防止することが可能となる。その結果、梱包体２１を輸送する場合であっても、受け部材７によるガラス板３の支持状態を安定した状態で維持することが可能となる。また、規制手段２８は、受け部材７の可動範囲を調整可能に構成されていることから、梱包体２１の輸送条件等の使用環境に応じて、適宜受け部材７の可動範囲を調整することで、受け部材７によるガラス板３の支持状態をより安定した状態で維持することが可能となる。なお、規制手段２８（隙間調整ピン２８ａ１，２８ａ２，２８ａ３）と受け部材７との間の隙間は、数ｍｍ（好ましくは０．１ｍｍ〜０．５ｍｍ）に設定される。
【００３３】
図６は、本発明の第４の実施形態に係るガラス板梱包体を模式的に示す側面図である。同図に示すように、この第４の実施形態に係る梱包体３１（パレット３２）は、第２の実施形態に係る梱包体１１（パレット１２）の受け部材１７の基台部４に対する可動範囲を規制する規制手段２８を更に設けたものであって、その規制手段の具体的な構成は、第３の実施形態で説明した規制手段２８と同一である。なお、その他の共通の構成については、図中に同符号を付して説明を省略する。したがって、かかる梱包体３１によれば、上記第３の実施形態で説明した作用効果を同様に享受することができる。
【００３４】
本発明は、上記実施形態に限定されるものではなく、種々の変形が可能である。
【００３５】
上記の第１〜第４の実施形態では、液晶用ディスプレイ用のガラス基板を梱包する場合を例にとって説明したが、本発明に係るパレットおよび梱包体は、液晶ディスプレイ用のガラス基板に限らず、プラズマディスプレイ、エレクトロルミネッセンスディスプレイ、フィールドエミッションディスプレイ等の各種画像表示機器用のガラス基板や、各種電子表示機能素子や薄膜を形成するための基材として用いられるガラス基板の梱包技術に関して好適に利用することができる。
【００３６】
また、輸送に際し、必要に応じて、以上説明したパレットに縦姿勢でガラス板を積層した後、そのガラス板の周囲からパレットに亘ってベルトやストレッチフィルム等を巻回して、ガラス板をパレットに固定して梱包体を形成してもよい。また、パレットにガラス板を縦姿勢で積層した後、その積層されたガラス板の背面を支持する背面部側を除く残り三側面部を囲むように別途板材等を添え置き、その周囲にベルトやストレッチフィルム等を巻回して、それらをパレットに固定するようにしてもよい。
【実施例】
【００３７】
本発明の有用性を実証するために、基台部に緩衝部材を介して縁切り状態で受け部材を載置したパレットにガラス板を梱包した実施例１〜３と、基台部に直接受け部材を溶接したパレットにガラス板を梱包した比較例１とで、それぞれの梱包体をトラックで輸送した後の各梱包体におけるガラス板の破損確率を確認する対比試験を行った。なお、実施例１〜３および比較例１の詳細は次の通りである。実施例１は、上記第３の実施形態に係る梱包体を採用したものである。実施例２は、上記第４の実施形態に係る梱包体を採用したものである。実施例３は、上記第３の実施形態において緩衝部材を配設しない形態の梱包体を採用したものである。比較例１は、上記第２の実施形態に係る梱包体において、緩衝部材を配設することなく受け部材を直接基台部に溶接して固定した梱包体を採用したものである。また、各梱包体に梱包されるガラス板は、その板面の大きさが２３００ｍｍ×２０００ｍｍであって且つその厚みが０．７ｍｍの液晶ディスプレイ用のガラス基板である。また、積層されたガラス板の相互間には、ガラス板の板面よりも５０ｍｍ以上大きく、且つ、厚みが０．５ｍｍ〜１．０ｍｍ、発泡倍率が２０〜２５の（株）ＪＳＰ製の発泡ポリエチレンシート（商品名：ミラマット）を介在している。さらに、積層されたガラス板は、その周囲から背もたれ部に亘ってベルトを巻回することで固定されている。これら対比試験の結果を以下の表１に示す。なお、破損確率は、１０００枚のガラス板を輸送したときに破損したガラス板の枚数を百分率で表している。
【００３８】
【表１】
2008143540.tif 000003
【００３９】
上記の表１に示すように、受け部材を基台部に溶接固定した従来型の梱包体であっては、ガラス板の破損確率が１．２％という結果を得た。これに対して、基台部に縁切り状態で受け部材を載置して、この受け部材でガラス板の下辺部を支持するようにした実施例１及び２においては、ガラス板の破損確率が０％、実施例３においては、ガラス板の破損確率が０．１％となる極めて良好な結果を得た。
【００４０】
以上のように、本発明に係る梱包体によれば、輸送に際してパレットの基台部に変形が生じた場合であっても、その変形の影響を受けることなく、受け部材でガラス板の下辺部を安定した状態で支持することができることが確認できる。
【図面の簡単な説明】
【００４１】
【図１】本発明の第１の実施形態に係るガラス板梱包体を模式的に示す側面図である。
【図２】（ａ）は、図１に示す受け部材を模式的に示す斜視図であって、（ｂ）はその変形例を示す斜視図である。
【図３】本発明の第２の実施形態に係るガラス板梱包体を模式的に示す側面図である。
【図４】本発明の第３の実施形態に係るガラス板梱包体を模式的に示す側面図である。
【図５】図４に示すガラス板梱包体の正面図である。
【図６】本発明の第４の実施形態に係るガラス板梱包体を模式的に示す側面図である。
【符号の説明】
【００４２】
１，１１，２１，３１    ガラス板梱包体
２，１２，２２，３２    ガラス板梱包用パレット
３                      ガラス板
４                      基台部
５，１５                背面部
６                      緩衝部材
７，１７                受け部材
２８                    規制部材
【図１】
2008143540.tif 000004
【図２】
2008143540.tif 000005
【図３】
2008143540.tif 000006
【図４】
2008143540.tif 000007
【図５】
2008143540.tif 000008
【図６】
2008143540.tif 000009